(57)【要約】【課題】画像データの伝送ラインとステータス情報の伝送ラインをそれぞれ独立して設け、メンテナンスの支援を可能にした医用画像撮影装置及びメンテナンス支援装置を提供する。【解決手段】回転部と固定部を有する医用画像撮影装置であって、被検体を撮影して得た画像データを収集するため前記回転部に設けたデータ収集部と、前記データ収集部で収集した画像データを前記固定部へ伝送する第１の伝送部と、前記前記回転部及び前記固定部のステータス情報を前記第１の伝送部と独立してネットワークに伝送するための第２の伝送部とを具備してなる。【選択図】  図１
2008142457.tif 000002
【特許請求の範囲】
【請求項１】
回転部と固定部を有する医用画像撮影装置であって、
被検体を撮影して得た画像データを収集するため前記回転部に設けたデータ収集部と、
前記データ収集部で収集した画像データを前記固定部へ伝送する第１の伝送部と、
前記前記回転部及び前記固定部のステータス情報を前記第１の伝送部と独立してネットワークに伝送するための第２の伝送部と、を具備してなる医用画像撮影装置。
【請求項２】
前記第１の伝送部は、前記回転部からの画像データを前記固定部へ伝送するスリップリングを含むことを特徴とする請求項１記載の医用画像撮影装置。
【請求項３】
前記第１の伝送部は、前記回転部からの画像データを前記固定部へ伝送する非接触データ伝送装置でなることを特徴とする請求項１記載の医用画像撮影装置。
【請求項４】
前記第２の伝送部は、前記回転部のステータス情報を無線で前記ネットワークに伝送するとともに、前記固定部のステータス情報を有線で前記ネットワークに伝送することを特徴とする請求項１記載の医用画像撮影装置。
【請求項５】
前記第２の伝送部は、前記回転部のステータス情報及び前記固定部のステータス情報を規格化された通信プロトコルを用いて前記ネットワークに伝送することを特徴とする請求項４記載の医用画像撮影装置。
【請求項６】
前記回転部及び前記固定部の前記ステータス情報の内、少なくとも前記回転部ステータス情報をログデータとして記憶する不揮発性メモリをさらに備えたことを特徴とする請求項１記載の医用画像撮影装置。
【請求項７】
回転部と固定部を有する医用画像撮影装置であって、
前記回転部に設けたＸ線源を制御する高圧発生部と、
前記回転部に前記Ｘ線源と対向して配置したＸ線検出器と、
前記Ｘ線検出器の検出信号から画像データを収集するため、前記回転部に設けたデータ収集部と、
前記回転部を駆動制御するため前記固定部に設けた架台駆動部と、
前記データ収集部で収集した画像データを前記固定部を介して画像処理部へ伝送する第１の伝送部と、
前記回転部のステータス情報を前記第１の伝送部とは別にネットワークに無線伝送するための第２の伝送部と、
前記固定部のステータス情報を前記第１の伝送部とは別にネットワークに伝送するための第３の伝送部と、を具備してなる医用画像撮影装置。
【請求項８】
前記第１の伝送部は、前記回転部からの画像データを前記固定部へ伝送するスリップリングを含むことを特徴とする請求項７記載の医用画像撮影装置。
【請求項９】
前記第２の伝送部は、前記回転部のステータス情報を規格化された通信プロトコルを用いて前記ネットワークに無線伝送することを特徴とする請求項７記載の医用画像撮影装置。
【請求項１０】
前記第３の伝送部は、前記固定部のステータス情報を規格化された通信プロトコルを用いて前記ネットワークに有線で伝送することを特徴とする請求項７記載の医用画像撮影装置。
【請求項１１】
前記第２の伝送部は、前記回転部のステータス情報をログデータとして記憶する不揮発性メモリをさらに備えたことを特徴とする請求項７記載の医用画像撮影装置。
【請求項１２】
回転部と固定部を有し、前記回転部にＸ線源とＸ線検出器を対向して配置した架台と、
前記Ｘ線検出器の検出信号から画像データを収集するため、前記回転部に設けたデータ収集部と、
前記データ収集部で収集した画像データを前記固定部を介して画像処理部へ伝送する第１の伝送部と、
前記前記回転部及び前記固定部のステータス情報を前記第１の伝送部と独立してネットワークに伝送するための第２の伝送部と、を具備してなるＸ線ＣＴ装置。
【請求項１３】
前記第２の伝送部は、前記回転部のステータス情報を前記ネットワークに無線伝送するとともに、前記固定部のステータス情報を前記ネットワークに有線で伝送することを特徴とする請求項１２記載のＸ線ＣＴ装置。
【請求項１４】
回転部及び固定部を有しネットワークに接続可能な医用画像撮影装置と、前記ネットワークに接続可能な情報処理装置とを具備し、
前記医用画像撮影装置は、被検体を撮影して得た画像データを収集するため前記回転部に設けたデータ収集部と、前記データ収集部で収集した画像データを前記固定部を介して画像処理部へ伝送するための第１の伝送部と、前記回転部、前記固定部及び前記画像処理部のステータス情報を前記第１の伝送部とは独立して前記ネットワークに伝送するための第２の伝送部とを備え、
前記情報処理装置は、前記ネットワークを介して前記第２の伝送部から伝送された前記ステータス情報を取り込み、前記医用画像撮影装置の状態を把握可能にしたことを特徴とするメンテナンス支援装置。
【請求項１５】
さらに、前記ネットワークに接続されたサーバを有し、前記サーバに前記第２の伝送部から伝送された前記ステータス情報を格納し、前記情報処理装置によって前記サーバに格納された前記ステータス情報を取り込み可能にしたことを特徴とする請求項１４記載のメンテナンス支援装置。
【請求項１６】
前記画像処理部は、前記医用画像撮影装置に接続されたコンソールでなることを特徴とする請求項１４記載のメンテナンス支援装置。
【請求項１７】
前記第１の伝送部は、前記回転部からの画像データを前記固定部へ伝送するスリップリングを含むことを特徴とする請求項１４記載のメンテナンス支援装置。
【請求項１８】
前記第１の伝送部は、前記回転部からの画像データを前記固定部へ伝送する非接触データ伝送装置でなることを特徴とする請求項１４記載のメンテナンス支援装置。
【請求項１９】
前記第２の伝送部は、前記回転部のステータス情報を規格化された通信プロトコルを用いて前記ネットワークに無線伝送することを特徴とする請求項１４記載のメンテナンス支援装置。
【請求項２０】
前記第２の伝送部は、前記前記固定部及び前記画像処理部のステータス情報を規格化された通信プロトコルを用いて前記ネットワークに有線で伝送することを特徴とする請求項１４記載のメンテナンス支援装置。
【発明の詳細な説明】
【技術分野】
【０００１】
本発明は、Ｘ線ＣＴ装置（Ｘ線コンピュータトモグラフィ装置）等の医用画像撮影装置、及びメンテナンス支援装置に関するものであり、医用画像撮影装置の各種のステータス情報をもとに医用画像撮影装置の状態を管理可能にしたものである。
【背景技術】
【０００２】
従来、医用画像撮影装置、例えばＸ線ＣＴ装置では、被検体にＸ線を照射し、被検体を透過したＸ線を検出してＸ線ＣＴ画像データを得るようにしている。
【０００３】
一方、Ｘ線ＣＴ装置に故障等の不具合が発生した場合は、早急な復旧が望まれる。故障が発生した場合に重要なのは、その故障原因（故障箇所）を特定することにある。故障原因の特定に当たっては、Ｘ線ＣＴ装置のステータス情報を観察することが有用である。
【０００４】
ステータス情報は、Ｘ線ＣＴ装置から例えばメンテナンスサービスセンターに伝送され、メンテナンスサービスセンターでステータス情報を解析し、Ｘ線ＣＴ装置の故障診断や不具合箇所の特定を行うようにしている。
【０００５】
ところでステータス情報は、現状、画像データの伝送ラインを利用して伝送するようにしており、画像データとステータス情報を時分割的にシェアしながらバックエンド（コンソール）へ伝える仕組みをとっている。
【０００６】
一方、今後は画像データのデータ量が増加することが予測され、画像データの伝送ラインとは別にステータス情報の伝送のために専用のハード線を設けることも考えられる。しかしながら、ステータス情報専用にハード線を設けることは、大幅なコストアップにつながる。
【０００７】
例えば医用Ｘ線ＣＴ装置の場合、データ収集装置であるＤＡＳ（Data Acquisition System）のユニットは、架台内の回転部に組み込まれるユニットであるため、回転部から固定部への信号の伝送のために、一般的にスリップリングが用いられている。
【０００８】
特許文献１には、回転部と固定部間の情報伝達手段を構成するスリップリングの一例が記載されている。
【０００９】
また特許文献２には、スリップリングを有するＸ線ＣＴ装置の一例が記載されている。
【００１０】
しかしながら、画像データ伝送用のほかに、ステータス情報専用にハード線を作る場合、スリップリング内にモジュールを追加することは、ハードウェアを大幅に改造することになり、コストアップとシステムアーキテクチャの大幅な見直しが必要となる。
【００１１】
一方、画像データラインとステータス情報ラインを共用すればハードウェアを追加する必要はなくなるが、フロントエンド（ＤＡＳユニット）でステータス情報の伝送量や内容に変更が生じると、付随して後段のユニットも設計変更が必要になり、変更のための設計工数、デバッグ工数等が多大なものとなる。
【００１２】
また、近い将来、ＤＡＳユニットの処理能力が向上すると、画像データを伝送するのに必要なビットレートの確保が重要になる。同様に、架台回転部の故障判定用の情報量が増えることも十分に予測されるため、現在シェアしているハード線では、増大する情報量に対応しきれない可能性がでてくる。このため、画像データラインの実効レートを圧迫し、伝送能力が足りなくなる恐れがある。
【００１３】
図３は、画像データとステータス情報を１つのハード線を利用して伝送したときに、画像データの伝送レートとステータス情報の伝送レートが増加した場合の問題点を表したものである。
【００１４】
図３の（ａ）から（ｂ）に示すように、画像データの伝送レートが増加した場合は、１つのハード線による伝送では対応することが困難となる。またこの場合は、ステータス情報の伝送レートを減らす必要があり、ステータス情報を十分に伝送できなくなり、故障診断等が有効に行えなくなる可能性がある。
【特許文献１】特開平２−２６２７２７号公報
【特許文献２】特開２００４−１６０２１８号公報
【発明の開示】
【発明が解決しようとする課題】
【００１５】
画像データの伝送レートが増加した場合、１つのハード線ではステータス情報を十分に伝送できなくなり、故障診断等が有効に行えなくなる可能性がある。また、新たなハード線を追加することは大幅なコストアップになるという問題がある。
【００１６】
本発明は、上記事情に鑑みて成されたもので、画像データの伝送ラインとステータス情報の伝送ラインをそれぞれ独立して設け、メンテナンスの支援を可能にした医用画像撮影装置及びメンテナンス支援装置を提供することを目的とする。
【課題を解決するための手段】
【００１７】
請求項１記載の本発明は、回転部と固定部を有する医用画像撮影装置であって、被検体を撮影して得た画像データを収集するため前記回転部に設けたデータ収集部と、前記データ収集部で収集した画像データを前記固定部へ伝送する第１の伝送部と、前記前記回転部及び前記固定部のステータス情報を前記第１の伝送部と独立してネットワークに伝送するための第２の伝送部とを具備してなることを特徴とする。
【００１８】
請求項７記載の本発明は、回転部と固定部を有する医用画像撮影装置であって、前記回転部に設けたＸ線源を制御する高圧発生部と、前記回転部に前記Ｘ線源と対向して配置したＸ線検出器と、前記Ｘ線検出器の検出信号から画像データを収集するため、前記回転部に設けたデータ収集部と、前記回転部を駆動制御するため前記固定部に設けた架台駆動部と、前記データ収集部で収集した画像データを前記固定部を介して画像処理部へ伝送する第１の伝送部と、前記回転部のステータス情報を前記第１の伝送部とは別にネットワークに無線伝送するための第２の伝送部と、前記固定部のステータス情報を前記第１の伝送部とは別にネットワークに伝送するための第３の伝送部とを具備してなることを特徴とする。
【００１９】
また請求項１２記載の本発明のＸ線ＣＴ装置は、回転部と固定部を有し前記回転部にＸ線源とＸ線検出器を対向して配置した架台と、前記Ｘ線検出器の検出信号から画像データを収集するため、前記回転部に設けたデータ収集部と、前記データ収集部で収集した画像データを前記固定部を介して画像処理部へ伝送する第１の伝送部と、前記前記回転部及び前記固定部のステータス情報を前記第１の伝送部と独立してネットワークに伝送するための第２の伝送部とを具備してなることを特徴とする
さらに、請求項１４記載の本発明は、回転部及び固定部を有しネットワークに接続可能な医用画像撮影装置と、前記ネットワークに接続可能な情報処理装置とを具備したメンテナンス支援装置であって、前記医用画像撮影装置は、被検体を撮影して得た画像データを収集するため前記回転部に設けたデータ収集部と、前記データ収集部で収集した画像データを前記固定部を介して画像処理部へ伝送するための第１の伝送部と、前記回転部、前記固定部及び前記画像処理部のステータス情報を前記第１の伝送部とは独立して前記ネットワークに伝送するための第２の伝送部とを備え、前記情報処理装置は、前記ネットワークを介して前記第２の伝送部から伝送された前記ステータス情報を取り込み、前記医用画像撮影装置の状態を把握可能にしたことを特徴とする。
【発明の効果】
【００２０】
本発明によれば、画像データの伝送ラインとステータス情報の伝送ラインをそれぞれ独立することができ、画像データ及びステータス情報の伝送レートに余裕を持たせることができる。また、病院内等に設置されたＸ線ＣＴ装置の状態を遠隔地から監視することができ、故障等の不具合が発生した場合のメンテナンスを支援することができる。
【発明を実施するための最良の形態】
【００２１】
以下、この発明の一実施の形態について図面を参照して詳細に説明する。
【実施例】
【００２２】
図１は、本発明の医用画像撮影装置の一実施形態を示す全体構成図である。
【００２３】
医用のＸ線ＣＴ装置１０を例に説明すると、Ｘ線ＣＴ装置１０は、架台（ガントリ）１１を有し、この架台１１内には回転リング１２が設けられ、図示しない回転機構によって回転する。回転リング１２内には、Ｘ線管１３とＸ線検出器１４が対向して配置されており、回転リング１２の中心部分は開口して、そこに寝台の天板１５に載置された被検体Ｐが挿入される。
【００２４】
被検体Ｐを透過したＸ線はＸ線検出器１４で電気信号に変換され、データ収集部（以下ＤＡＳと称す）１６で増幅され、デジタルデータに変換される。ＤＡＳ１６からのデジタルデータ（投影データ）は、架台制御部１７を介してコンソール２０に伝送される。また、架台１１には、架台駆動部１８及び高圧発生部１９が設けられている。
【００２５】
架台制御部１７は架台１１の回転部からのデータを固定部に伝達したり、固定部から回転部へ電力や各種の信号を供給するものであり、スリップリング３０を含む。
【００２６】
コンソール２０は、画像処理部を構成するものであり、架台制御部１７からの投影データが前処理されてバスライン２１上に出力される。バスライン２１には、システム制御部２２、入力部２３、データ記憶部２４、再構成処理部２５、画像データ処理部２６、表示部２７、電源装置２８等が接続されている。
【００２７】
システム制御部２２はコンソール２０の各部の動作や、架台駆動部１８及び高圧発生部１９を制御するものである。
【００２８】
データ記憶部２４は断層画像等のデータを記憶するものであり、再構成処理部２５は投影データから３Ｄ画像データを再構成する。画像データ処理部２６はデータ記憶部２４に保存されたデータ、または再構成したあとの画像データを処理して特定領域の３Ｄ画像データを作成する。表示部２７は画像データ処理によって得られた医用画像等を表示する。
【００２９】
入力部２３はキーボード、マウス等を有し、ユーザ（医師、オペレータ等）によって操作され、データ処理する上で各種の設定を行う。また、患者の状態や検査方法等の各種情報を入力するものである。
【００３０】
電源装置２８は、架台１１に対して電力を供給するものであり、電源装置２８から供給された電力は架台１１のスリップリング３０を介して回転部の高圧発生部１９に入力される。高圧発生部１９は、Ｘ線管１３に対してＸ線の曝射に必要な電力（管電圧、管電流）を供給する。また、高圧発生部１９は、絞り装置（図示せず）を有している。
【００３１】
架台１１の回転部には、高圧発生部１９のほかにＤＡＳ１６が含まれており、ＤＡＳ１６は、Ｘ線検出器１４からの電気信号を増幅し、デジタルデータに変換し、デジタルデータを架台制御部１７を介してコンソール２０へ伝送する。また、架台１１の固定部には架台駆動部１８が含まれている。
【００３２】
また、ＤＡＳ１６には情報伝送部１０１が設けられている。情報伝送部１０１は、ＤＡＳ１６のステータス情報をルータ３１に無線伝送するものである。
【００３３】
また架台制御部１７の回転部側には情報伝送部１０２が設けられ、固定部側には情報伝送部１０３がそれぞれ設けられている。さらに、コンソール２０にも情報伝送部１０４が設けられている。
【００３４】
情報伝送部１０２は、架台１１の回転部を制御する制御基板に設けられ、高圧発生部１９のステータス情報をルータ３１に無線伝送する。また情報伝送部１０３は、架台１１の固定部を制御する制御基板に設けられ、架台１１のステータス情報をルータ３１に伝送する。
【００３５】
さらに情報伝送部１０４は、コンソール２０内の各ユニットを制御する制御基板２９に設けられ、コンソール２０のステータス情報をルータ３１に伝送する。
【００３６】
情報伝送部１０１，１０２は、架台１１の回転部のステータス情報を無線で伝送するため、無線ＬＡＮの規格に適合して情報を伝送するＯＳ（オペレーティングシステム）を備え、ＯＳの中心部を成すカーネルとして例えばＬｉｎｕｘ（登録商標）カーネルが用いられている。
【００３７】
また、情報伝送部１０３，１０４の情報伝送部は、架台１１の固定部のステータス情報及びコンソール２０のステータス情報を伝送するものであり、有線ＬＡＮの規格に適合して情報を伝送するＯＳを備え、ＯＳの中心部を成すカーネルとして例えばＬｉｎｕｘ（登録商標）カーネルが用いられている。
【００３８】
Ｌｉｎｕｘ（登録商標）カーネルには、メモリ管理機能、ネットワーク機能等があり、これらの機能がハードウェアを制御することになる。尚、ＯＳとしては、Ｌｉｎｕｘ（登録商標）に限定されることはなく、ＵＮＩＸ（登録商標）、Ｗｉｎｄｏｗｓ（登録商標）等を用いることも可能である。
【００３９】
ルータ３１は無線ＬＡＮ及び有線ＬＡＮに適合したネットワークの相互接続装置である。
【００４０】
ルータ３１はネットワーク３２に接続されており、ネットワーク３２にはＰＣ（Personal Computer）３３等の情報処理装置やサーバ３４が接続されている。尚、ネットワーク３２としては、ＷＡＮ（Wide Area Network）やＬＡＮ（Local Area Network）等が用いられる。
【００４１】
ＰＣ３３は、例えばメンテナンスサービスセンターに設けられており、Ｘ線ＣＴ装置１０からのステータス情報をネットワーク３２を介して取り込むことで、Ｘ線ＣＴ装置１０の状態を把握・解析することができる。
【００４２】
サーバ３４はＸ線ＣＴ装置１０やコンソール２０のステータス情報を格納するものであり、サービスマンが必要なときにＰＣ３３からサーバ３４にアクセスして、Ｘ線ＣＴ装置１０のステータス情報を取り込むことができる。
【００４３】
また、ＤＡＳ１６によって収集された画像データは、ステータス情報とは別に架台制御部１７からコンソール２０へ伝送される。画像データの伝送のためにスリップリング３０が用いられ、回転部から固定部へ画像データ伝送することができる。
【００４４】
図２は、情報伝送部１０１〜１０４の詳細な構成を示すブロック図である。
【００４５】
図２において、架台１１は回転部１１ａと固定部１１ｂで構成され、回転部１１ａにはＤＡＳ１６と制御基板４１が設けられている。ＤＡＳ１６の情報伝送部１０１は、ＤＡＳ１６のステータス情報を無線伝送するためのＯＳ１１１と、無線ＬＡＮコントローラを構成するチップ１１２を備えている。また、ＤＡＳ１６の全体の動作を管理するＣＰＵ１１３と、ステータス情報を記憶する不揮発性のメモリ１１４を備えている。
【００４６】
ＤＡＳ１６は、Ｘ線検出器１４で検出した電気信号を増幅するとともに、増幅した電気信号をデジタルデータに変換するＤ／Ａ変換の処理等を行う。情報伝送部１０１のＯＳ１１１は、例えばＬｉｎｕｘ（登録商標）カーネルを備えており、ステータス情報を無線伝送するため、ＩＥＥＥ８０２ｂ等の規格化された無線ＬＡＮプロトコル用いると良い。またチップ１１２は、例えばＬＡＮ９１Ｃ１１１−ＮＳ等のチップで構成されステータス情報を無線伝送する。
【００４７】
ＤＡＳ１６のステータス情報としては、ＤＡＳ１６に設けられた複数の制御基板の電流や電圧の状態を表す情報がある。これらのステータス情報はログデータとしてメモリ１１４に記憶され、例えば故障や異常が発生した場合に、ＰＣ３３からメモリ１１４にアクセスして、過去のステータス情報を読み出し可能にしている。これにより、故障に至る前のステータスの変遷を把握することができ、故障箇所の特定に利用することができる。
【００４８】
こうして、ＰＣ３３ではステータス情報を無線ＬＡＮによってリアルタイムに観ることができる。また、メモリ１１４に記憶された情報をもとにログとして観ることが可能となる。
【００４９】
また回転部１１ａは、高圧発生部１９を制御する制御基板４１を有し、この制御基板４１に情報伝送部１０２が設けられている。制御基板４１は、Ｘ線管１３からのＸ線の曝射や絞り等の制御、及び異常停止等の制御を行うものである。
【００５０】
情報伝送部１０２は、高圧発生部１９のステータス情報を無線伝送するため、例えばＬｉｎｕｘ（登録商標）カーネルのＯＳ１２１と、無線ＬＡＮコントローラを構成するチップ１２２を備えている。
【００５１】
高圧発生部１９のステータス情報としては、例えば管電流や管電圧の情報、或いは撮影条件等の各種調整値の情報があり、これらステータス情報をチップ１２２によって無線で伝送する。勿論、情報伝送部１０２にも不揮発性のメモリを備え、ステータス情報を記憶するようにしても良い。
【００５２】
一方、固定部１１ｂは、架台駆動部１８等を制御する制御基板４２を有し、この制御基板４２に情報伝送部１０３が設けられている。制御基板４２は、Ｘ線管１３によるＸ線の曝射の実行指示や、回転部１１ａの回転制御、及びＤＡＳ１６から伝送された画像データの受信やコンソール２０への送信等を行うものである。
【００５３】
情報伝送部１０３は、架台１１の固定部１１ｂのステータス情報を伝送するため、例えばＬｉｎｕｘ（登録商標）カーネルのＯＳ１３１と、ＬＡＮコントローラを構成するチップ１３２を備えている。
【００５４】
固定部１１ｂのステータス情報を伝送するため、例えばＴＣＰ（Transmission Control Protocol）／ＩＰ（Internet Protocol）等の規格化されたネットワークプロトコルを用いると良い。
【００５５】
固定部１１ｂのステータス情報としては、例えばＸ線ＣＴ装置１０の温度情報や回転部１１ａの角度情報、各部の電圧、電流等の情報がある。
【００５６】
また、コンソール２０の情報伝送部１０４は、例えば画像データを解析する制御基板２９に設けられ、情報伝送部１０４は、コンソール２０内のステータス情報を伝送するため、例えばＬｉｎｕｘ（登録商標）カーネルのＯＳ１４１と、ＬＡＮコントローラを構成するチップ１４２を備えている。
【００５７】
制御基板２９は、Ｘ線ＣＴ装置１０からの画像データの解析等を行うものであり、コンソール２０内のステータス情報としては異常時の画像情報等がある。コンソール２０のステータス情報を伝送するため、例えばＴＣＰ／ＩＰ等のネットワークプロトコルを用いると良い。
【００５８】
コンソール２０には、画像解析用の制御基板２９のほかに複数の制御基板が設けられ、各種の信号処理を行う。またそれに付随して各部のステータス情報を伝送するＯＳ及びチップが設けられる。
【００５９】
こうして各種のステータス情報は、ルータ３１を介してネットワーク３２に伝送され、ネットワーク３２に接続したＰＣ３３によってステータス情報を取り込むことができる。ＰＣ３３がメンテナンスサービスセンターにある場合は、サービスマンがステータス情報を解析することで、Ｘ線ＣＴ装置１０の状態を監視することができる。
【００６０】
また、ネットワーク３２に接続したサーバ３４にステータス情報を格納しておくことにより、ＰＣ３３からサーバ３４にアクセスすることでいつでもＸ線ＣＴ装置１０の状態を監視することができる。
【００６１】
このように本発明によれば、Ｘ線ＣＴ装置１０の回転部のステータス情報は無線によってルータ３１に伝送され、Ｘ線ＣＴ装置１０の固定部及びコンソール２０のステータス情報は有線によってルータ３１に伝送される。また、Ｘ線ＣＴ装置１０のＤＡＳ１６で収集された画像データはステータス情報とは別にスリップリング３０を介して固定部１１ｂからコンソール２０へと伝送される。
【００６２】
したがって、画像データの伝送ラインとステータス情報の伝送ラインをそれぞれ独立させることができ、それぞれの伝送ラインでの伝送レートに余裕ができ、将来的に情報量が増加しても、設計工期や、デバッグ工期は発生しない。発生したとしても工期を短縮することができる。
【００６３】
またステータス情報の伝送には、規格化された通信プロトコルを使用するため、病院内に設置されたＸ線ＣＴ装置１０の状態を、メンテナンスサービスセンター等の遠隔地からダイレクトに監視することができる。また今まで測定できなかった、架台１１内の温度情報等の統計をとることができ、サービスマンによる故障解析が容易になり、不具合箇所や故障箇所を特定する際に有効になる。
【００６４】
こうして本発明では、コストがさほど上がらず、データラインの伝送レートを圧迫せず、サイト外からも常時リモートでステータス情報を監視することができる。リモートで監視することにより、故障時の診断やサービスパーツの交換をスピーディに行うことができる。
【００６５】
尚、以上の説明では、データ収集部１６で収集した画像データは、スリップリング３０を介してコンソール２０側に伝送する例を説明したが、画像データを光通信手段等の非接触データ伝送装置を用いて伝送するようにしても良い。また、Ｘ線ＣＴ装置１０を用いた例を述べたが、回転部と固定部を有する他の医用画像撮影装置に適用することもできる。
【００６６】
また本発明は、医用のＸ線ＣＴ装置だけでなく、機器類を検査する産業用のＸ線ＣＴ装置や、空港等での手荷物検査用のＸ線ＣＴ装置等にも適用することができる。さらに特許請求の範囲を逸脱しない範囲内で種々の変形が可能である。
【図面の簡単な説明】
【００６７】
【図１】本発明に係る医用画像撮影装置及びメンテナンス支援装置の一実施の形態を示すブロック図。
【図２】本発明に係る医用画像撮影装置及びメンテナンス支援装置の要部の構成を示すブロック図。
【図３】画像データとステータス情報の伝送レートの増加に伴う問題点を説明する説明図。
【符号の説明】
【００６８】
１０…医用画像撮影装置（Ｘ線ＣＴ装置）
１１…架台
１３…Ｘ線管
１４…Ｘ線検出器
１６…ＤＡＳ（データ収集部）
１７…架台制御部
１８…架台駆動部
１９…高圧発生部
２０…コンソール（画像処理部）
２２…システム制御部
２３…入力部
２４…データ記憶部
２５…再構成処理部
２６…画像データ処理部
２７…表示部
２８…電源装置
２９，４１，４２…制御基板
３０…スリップリング
３１…ルータ
３２…ネットワーク
３３…ＰＣ（情報処理装置）
３４…サーバ
１０１，１０２，１０３，１０４…情報伝送部
【図１】
2008142457.tif 000003
【図２】
2008142457.tif 000004
【図３】
2008142457.tif 000005